(57)【要約】【課題】電柱など高所に作られた鳥の巣内の卵を壊すことなく確実に回収することができる鳥の卵回収具を提供する。【解決手段】絶縁操作棒８０の先端に取付け使用する鳥の卵回収具１であって、鳥の巣１５０の中の卵１００を掬うお玉杓子状の掬い具１１と、絶縁操作棒８０の先端部に着脱自在に連結する連結具５１と、前記掬い具１１と前記連結具５１とをつなぐ連結棒３１と、を備え、前記連結棒３１は、屈曲可能で形状保持可能な特性を有し、連結具５１に対して前記掬い具１１の位置、方向、角度が変更可能である。【選択図】図４
2020054159.tif 000002
【特許請求の範囲】
【請求項１】
絶縁操作棒の先端に取付け使用する鳥の卵回収具であって、
鳥の巣の中の卵を掬うお玉杓子状の掬い具と、
絶縁操作棒の先端部に着脱自在に連結する連結具と、
前記掬い具と前記連結具とをつなぐ連結棒と、
を備えることを特徴とする鳥の卵回収具。
【請求項２】
前記連結棒は、前記連結具に対して前記掬い具の位置、方向、角度を変更可能とする変位手段を備えることを特徴とする請求項１に記載の鳥の卵回収具。
【請求項３】
前記変位手段は、前記連結棒、前記掬い具と前記連結棒との連結部、前記連結具と前記連結棒との連結部のうちいずれか１カ所以上に設けられた回動自在な連結機構であることを特徴とする請求項２に記載の鳥の卵回収具。
【請求項４】
前記連結棒は、屈曲可能で形状保持可能な材料特性又は構造を有し、
前記変位手段は、前記連結棒が備える前記材料特性又は構造であることを特徴とする請求項２に記載の鳥の卵回収具。
【請求項５】
前記掬い具は、掬った卵が掬い具の内から外に飛び出すことを防止する飛び出し防止手段を備えることを特徴とする請求項１から４のいずれか１項に記載の鳥の卵回収具。
【請求項６】
前記飛び出し防止手段が、前記掬い具の上部開口部の一部を塞ぐように設けられた蓋であることを特徴とする請求項５に記載の鳥の卵回収具。
【請求項７】
前記飛び出し防止手段が、前記掬い具内に取付けられたクッション材、前記掬い具内に取付けられた滑り止め防止材、前記掬い具内に設けられた卵の一部が嵌り込む受け部のうちいずれか１つ以上であることを特徴とする請求項５に記載の鳥の卵回収具。
【発明の詳細な説明】
【技術分野】
【０００１】
本発明は、電柱などの高所に作られた鳥の巣内にある卵を回収する用具に関する。
【背景技術】
【０００２】
電柱、腕金等に作られた鳥の巣は、配電線事故につながる恐れがあるため、巡回点検などで巣が見つかった場合には巣の撤去が行われる。巣の撤去には、通常絶縁ヤットコ等の間接活線工具が使用されるが、絶縁ヤットコ等は、本来配電線の工事に使用されるものであり、巣の撤去に適したものとは言い難い。
【０００３】
そこで絶縁ヤットコ等に代わる鳥の巣の撤去用具が開発されている。例えば特許文献１には、一端部が連結され、他端部が接離する上爪及び下爪を備え、さらに上爪及び下爪の互いの対向面に対して進退する補助爪が設けられ、鳥の巣を上下から挟むことで鳥の巣を砕くことなく撤去する用具が開示されている。
【０００４】
また特許文献２には、入力軸の回転力を受ける機構部によって二つ以上の軸が回転し、入力軸及び二つ以上の軸のそれぞれに螺合される各螺合部材が同期して離間・近接するように軸方向に移動し、鳥の巣を三方向以上から的確に把持することができる鳥の巣の把持装置が開示されている。
【先行技術文献】
【特許文献】
【０００５】
【特許文献１】特開２０１２−２２３０８２号公報
【特許文献２】特開２０１６−５５３７３号公報
【発明の概要】
【発明が解決しようとする課題】
【０００６】
特許文献１、２に記載の鳥の巣を撤去する用具、装置は、電柱上等に作られた鳥の巣を砕くことなく撤去することができるため好ましいが、実際に電柱上等に作られる鳥の巣は、碍子、腕金などの装柱金具を巻き込むようにして作られていることが多く、鳥の巣を砕くことなく撤去することは難しい。このため現実的には絶縁ヤットコ等を使用して、鳥の巣を砕くようにして撤去される場合が多い。
【０００７】
鳥の巣を撤去する際に、巣の中に卵がある場合がある。この場合には、絶縁ヤットコを用いて卵を把持し移動させ、その後に巣の撤去が行われる。産卵直後の卵は、特に殻が軟らかいため絶縁ヤットコで把持する際に握り潰すことがある。また絶縁ヤットコで把持し、移動させる際に高所から落下させることもある。充電部を移動させる際は、把持する力加減、充電部との距離、落下の危険性を考慮しつつ移動させる必要があるため作業者の負担が大きい。
【０００８】
鳥の巣を撤去する用具、装置については、特許文献１、２以外にも多く提案されているが、鳥の巣内の卵を回収する用具、装置については、先行特許文献には記載されていない。鳥の巣内の卵の回収は配電線事故等の防止に重要であるが、先行特許文献を検索する限り、鳥の巣の撤去に先立ち鳥の巣内の卵を回収する必要があるということは特に指摘されていない。
【０００９】
本発明の目的は、電柱など高所に作られた鳥の巣内の卵を壊すことなく確実に回収することができる鳥の卵回収具を提供することである。
【課題を解決するための手段】
【００１０】
本発明は、絶縁操作棒の先端に取付け使用する鳥の卵回収具であって、鳥の巣の中の卵を掬うお玉杓子状の掬い具と、絶縁操作棒の先端部に着脱自在に連結する連結具と、前記掬い具と前記連結具とをつなぐ連結棒と、を備えることを特徴とする鳥の卵回収具である。
【００１１】
本発明の鳥の卵回収具において、前記連結棒は、前記連結具に対して前記掬い具の位置、方向、角度を変更可能とする変位手段を備えることを特徴とする。
【００１２】
本発明の鳥の卵回収具において、前記変位手段は、前記連結棒、前記掬い具と前記連結棒との連結部、前記連結具と前記連結棒との連結部のうちいずれか１カ所以上に設けられた回動自在な連結機構であることを特徴とする。
【００１３】
本発明の鳥の卵回収具において、前記連結棒は、屈曲可能で形状保持可能な材料特性又は構造を有し、前記変位手段は、前記連結棒が備える前記材料特性又は構造であることを特徴とする。
【００１４】
本発明の鳥の卵回収具において、前記掬い具は、掬った卵が掬い具の内から外に飛び出すことを防止する飛び出し防止手段を備えることを特徴とする。
【００１５】
本発明の鳥の卵回収具において、前記飛び出し防止手段が、前記掬い具の上部開口部の一部を塞ぐように設けられた蓋であることを特徴とする。
【００１６】
本発明の鳥の卵回収具において、前記飛び出し防止手段が、前記掬い具内に取付けられたクッション材、前記掬い具内に取付けられた滑り止め防止材、前記掬い具内に設けられた卵の一部が嵌り込む受け部のうちいずれか１つ以上であることを特徴とする。
【発明の効果】
【００１７】
本発明によれば、電柱など高所に作られた鳥の巣内の卵を壊すことなく確実に回収することができる鳥の卵回収具を提供することができる。
【図面の簡単な説明】
【００１８】
【図１】本発明の第１実施形態の鳥の卵回収具１の斜視図である。
【図２】図１の鳥の卵回収具１の掬い具１１及びその変形例である掬い具１２の断面図である。
【図３】図１の鳥の卵回収具１を用いて巣１５０の中の卵１００を回収する様子を示す図である。
【図４】図１の鳥の卵回収具１を用いて巣１５０の中の卵１００を回収する様子を示す他の図である。
【図５】図１の鳥の卵回収具１で卵１００を回収し、移動させている様子を示す図である。
【図６】本発明の第２実施形態の鳥の卵回収具２の斜視図である。
【図７】図６の鳥の卵回収具２の掬い具２１及びその変形例である掬い具２３及び掬い具２５の断面図である。
【図８】図６の鳥の卵回収具２を用いて巣１５０の中の卵１００を回収する様子を示す図である。
【発明を実施するための形態】
【００１９】
図１は、本発明の第１実施形態の鳥の卵回収具１の斜視図である。図２は、鳥の卵回収具１の掬い具１１及びその変形例である掬い具１２の断面図である。図３及び図４は、鳥の卵回収具１を用いて巣１５０の中の卵１００を回収する様子を示す図であり、図５は、鳥の卵回収具１で卵１００を回収し、移動させている様子を示す図である。
【００２０】
本発明の第１実施形態の鳥の卵回収具１は、絶縁操作棒８０の先端に取付け使用する鳥の卵回収具であって、鳥の巣１５０の中の卵１００を掬うお玉杓子状の掬い具１１と、絶縁操作棒８０の先端部に着脱自在に連結可能な連結具５１と、掬い具１１と連結具５１とをつなぐ連結棒３１と、を備える。
【００２１】
掬い具１１は、お玉杓子の形態を有し中央部が凹んでおり略半球状である。掬い具１１の形状は、鳥の巣１５０の中の卵１００を簡単に掬うことができ、掬った後も掬い具１１から卵１００が転げ落ちないものであればよく、お玉杓子状のものに限定されるものではない。但し、お玉杓子状の掬い具１１は、鳥の巣１５０の形状、卵１００の回収、その後の移送を考えれば好ましい形態といえる。お玉杓子は、玉杓子、お玉とも呼ばれる。
【００２２】
掬い具１１は、硬質プラスチック等の絶縁性部材からなる。これは本実施形態で使用される鳥の卵回収具１が、主として電柱２００の上部に作られた鳥の巣１５０の中の卵１００など、配電線事故の危険のある場所の巣１５０から卵１００を回収するものであることによる。掬い具１１は、導電性の部材を絶縁性部材で被覆した複層構造であってもよい。
【００２３】
本実施形態の掬い具１１は、汁を掬うお玉杓子と同様に、穴は設けられていない。卵１００を掬い取る点において、掬い具は、穴あきお玉杓子のように多数の孔を有していても、網で形成されていてもよいが、巣１５０の中の卵１００にひびが入っていたり、掬い具の中で卵１００が割れる可能性を考えれば穴がないものが好ましい。
【００２４】
掬い具１１の大きさ（含む深さ）は、鳥の巣１５０の中の卵１００を確実に掬い取り、掬い取った卵１００を安定的に移動させることができればよく、特に限定されるものではない。本実施形態の掬い具１１では、開口部の一部を塞ぐように上部外周縁１３に飛び出し防止板１５が取付けられる関係から、掬い具１１の深さは、卵１００が上部に飛び出さない深さＨ１となっている（図２（Ａ）参照）。
【００２５】
掬い取った卵１００を安定的に移動させるには、掬い具１１は大きくかつ深い方が好ましいが、不必要に大きく又深くすると鳥の巣１５０に入れ難く、また卵１００を掬い取り難くなるので、掬い具１１を不必要に大きく又深くすべきではない。
【００２６】
掬い具１１の重量も特に限定されるものではないが、卵１００が落下しない限りにおいて、軽量であるものが操作性の点から好ましい。
【００２７】
掬い具１１には、掬い具１１の上部開口部の一部を塞ぐ飛び出し防止板１５が取付けられている。飛び出し防止板１５は、硬質プラスチック製の弓形の板であり、円弧部１６が掬い具１１の外周縁１３に接するように、平面視において直線部１７が連結棒３１と平行になるように取付けられている。飛び出し防止板１５の幅Ｗ１は、掬い具１１の直径ｄ１の１／３〜１／４程度である（図２（Ａ）参照）。
【００２８】
飛び出し防止板１５は、掬い具１１に掬い取った卵１００を回収すべく鳥の卵回収具１を移動させるときに、卵１００が掬い具１１から飛び出さないようにするための蓋である。卵１００が掬い具１１から飛び出さないようにするためには飛び出し防止板１５は大きい方がよいが、不必要に大きくすると巣１５０の中の卵１００を掬い取ることが難しくなるので不必要に大きくすべきではない。
【００２９】
連結棒３１は、掬い具１１と連結具５１とをつなぐ絶縁性の棒状体であり、一端が掬い具１１に、他端が連結具５１の先端部に固着されている。連結棒３１の長さは特に限定されるものでなく、使い易い長さとすればよい。本実施形態で使用される連結棒３１は、所定の荷重を加えると屈曲可能であり、さらに屈曲した後においてもその形状を保持可能な形状保持性を備える。連結棒３１の折り曲げる方向は特に限定されず、任意の方向に折り曲げ可能である。
【００３０】
ここで所定の荷重を加えると屈曲可能とは、連結棒３１を両手で把持し、中央を折り曲げるように手で力を加えると屈曲することをいい、掬い具１１の自重、卵１００が中に入った状態の掬い具１１の重量では折れ曲がり、あるいは変位しないことをいう。
【００３１】
連結棒３１に、容易には屈曲しない直線状の棒状体を使用してもよいが、任意の方向に屈曲可能で形状保持可能な特性を備える棒状体を使用すれば、絶縁操作棒８０に対して掬い具１１を任意の位置、角度にすることができ、巣１５０の中の卵１００を掬い取り易くなり好ましい。このような屈曲可能で形状保持可能な特性を備える棒状体としては、例えばアルミニウムの棒をポリエチレン樹脂で被覆してなる形状保持チューブ、金属フレキシブルチューブ保持タイプ等がありこれらは市販されている。
【００３２】
連結具５１は、ツイストロック機構５２を備える連結具であり、従来から絶縁操作棒８０に装着し使用する先端工具等に用いられている公知のものと同じである。絶縁操作棒８０も従来から使用されている公知の絶縁操作棒である。なお、絶縁操作棒８０は共用操作棒とも呼ばれる。
【００３３】
鳥の卵回収具１を使用する際は、絶縁操作棒８０の先端に鳥の卵回収具１を取付け使用する。図３は、作業者３００が高所作業車４００に載り、電柱２００の上に作られた鳥の巣１５０の中の卵１００を回収している様子を示す。図３では、連結棒３１を真直ぐにした状態で使用している。一方、図４では、連結棒３１を曲げた状態で使用し、鳥の巣１５０の中の卵１００を回収している。図５は、鳥の卵回収具１で卵１００を回収し、移動させている様子を示す図である。鳥の卵回収具１は、掬い具１１に上部開口部の一部を塞ぐ飛び出し防止板１５が取付けられているので、卵１００が飛び出し難く安心して回収することができる。
【００３４】
図２（Ｂ）は、鳥の卵回収具１の掬い具１１の変形例である掬い具１２の断面図である。掬い具１２は、掬い具１１と基本構造を同じくするが、掬い具１２の内面及び飛び出し防止板１５の裏面に薄いシリコンゴム板１８が取付けられている。シリコンゴム板は、摩擦係数が大きく、また柔軟性を備える。このため移動させる際に卵１００が掬い具１２の中で動き難く、シリコンゴム板１８は転がり防止材として機能する。また掬い具１２の中で卵１００が動き、飛び出し防止板１５にぶつかっても卵１００が割れ難い。これらにより安定してまた安心して卵１００を回収することができる。
【００３５】
図２（Ｃ）は、鳥の卵回収具１の連結棒３１の変形例である連結棒３２の斜視図である。連結棒３１は、任意の方向に屈曲可能で形状保持可能な特性を備え、これにより絶縁操作棒８０に対して掬い具１１を任意の位置、角度にする。これに対して連結棒３２は、複数の略球状の部材が屈曲自在に連結された構造からなり、任意の方向に屈曲可能で形状保持可能な特性を備える。この棒状体３２も一端を掬い具１１、他端を連結具５１と連結することで絶縁操作棒８０に対して掬い具１１を任意の位置、角度にすることができる。
【００３６】
図６は、本発明の第２実施形態の鳥の卵回収具２の斜視図、図７は、鳥の卵回収具２の掬い具２１及びその変形例である掬い具２３及び掬い具２５の断面図である。図８は、鳥の卵回収具２を用いて巣１５０の中の鳥の卵１００を回収する様子を示す図である。図１から図５に示す第１実施形態の鳥の卵回収具１と同一の構成には同一の符号を付して説明を省略する。
【００３７】
第２実施形態の鳥の卵回収具２は、第１実施形態の鳥の卵回収具１と基本構成を同じくするが、第１に掬い具２１の形態が異なる。掬い具２１は、掬い具１１と同様にお玉杓子形状（略半球状）を有するが、第１実施形態の掬い具１１と異なり飛び出し防止板１５を備えておらず、代わりに底の中央に凹部２２が設けられている。凹部２２は、掬い具２１を貫通していない。
【００３８】
凹部２２は、平面視において楕円形であり、卵１００の一部が嵌り込む大きさである（図７（Ａ）参照）。掬い具２１の凹部２２の形状は、嵌り込んだ卵１００との接触面が広く、凹部２２に嵌り込んだ卵１００の据わりがよく卵１００を安定的に保持できるものが好ましい。図７（Ａ）は、掬い具２１の断面図であり、掬い具２１の底部中央に設けられた凹部２２に卵１００がすっぽりと収まり、掬い具２１の中で卵１００が転がり難く、また卵１００が外に飛び出し難くなっていることが分かる。
【００３９】
このような掬い具２１で卵１００を掬うと、掬い具２１の中で卵１００が転がり凹部２２に嵌り込む。これにより掬い具２１の中で卵１００が安定し、鳥の卵回収具２を移動させるとき卵１００が転がり外に飛び出すことを防止することができる。つまり凹部２２は、飛び出し防止板１５に代わる卵１００の飛び出し防止手段といえ、さらに掬い具２１の中で卵１００が転がることを防止する転がり防止手段ということができる。
【００４０】
掬い具２１の材質、重量等は、第１実施形態の掬い具１１と同様に考えることができる。掬い具２１の大きさについても、第１実施形態の掬い具１１と同様に考えることができるが、掬い具２１は飛び出し防止板１５を有していないため、卵１００を掬い取る際に飛び出し防止板１５がじゃまにならない。よって掬い具２１は、掬い具１１に比較して少し小さくすることができる。
【００４１】
掬い具２１において、凹部２２の代わりに卵１００が抜け落ちない大きさの貫通孔としても、貫通孔は、凹部２２と同様に卵１００の飛び出し防止手段、転がり防止手段として機能する。但し、回収する卵１００にひびが入っていたり、掬い具２１の中で卵１００が割れる可能性を考えれば凹部２２の方が好ましい。
【００４２】
第２実施形態の鳥の卵回収具２と第１実施形態の鳥の卵回収具１との第２の相違点は、連結棒３５であり、連結棒３５の構造が第１実施形態の連結棒３１と異なる。第２実施形態の鳥の卵回収具２で用いる連結棒３５は、硬質の材料からなる直線状のパイプであり、連結棒３１と異なり手で力を加えても折り曲げることはできない。
【００４３】
第１実施形態の鳥の卵回収具１では、連結棒３１に屈曲可能で形状保持可能な特性を備える棒状体を使用することで、絶縁操作棒８０に対して掬い具１１を任意の位置、角度にする。これに対して第２実施形態の鳥の卵回収具２では、連結棒３５と連結具５５とを回動自在に連結する連結機構４０を設けることで絶縁操作棒８０に対する掬い具２１の位置、角度を変更可能とする。
【００４４】
連結棒３５は、連結具５５との連結部に菊座部３７を有する連結アダプター３８を備える。一方、連結具５５は、ツイストロック機構５２を備える本体５６の先端部に菊座部５７を有する連結アダプター５８が設けられている。連結アダプター３８及び連結アダプター５８は共に中心部にボルト挿通孔を有する。連結機構４０は、連結棒３５に設けられた連結アダプター３８と連結具５５に設けられた連結アダプター５８と、これらを連結するボルト６０、ナット６１で構成される。
【００４５】
本実施形態の鳥の卵回収具２は、回動自在な連結部（連結機構）が１つであるため、絶縁操作棒８０に対する掬い具２１の位置、角度を変更させることに限りがあるが、第１実施形態の鳥の卵回収具１と異なり、巣１５０の中の卵１００を回収する際に掬い具２１が巣１５０に引掛り荷重が加わっても連結棒３５は変形しないのでこの点において使い易い。
【００４６】
第２実施形態の鳥の卵回収具２において、絶縁操作棒８０に対する掬い具２１の位置、角度の自由度を高めるには、さらに連結棒３５の中間部Ａ、あるいは掬い具２１と連結棒３５との連結部Ｂに、先の連結機構４０と同様の連結機構を設ければよい。連結棒３５の中間部Ａに設ける回動自在な連結機構は、１つでも２つ以上であってもよい。このような機構は、例えば工作ロボットのアームにおいて多軸アーム、あるいは多関節と呼ばれ、多く使用されている。
【００４７】
鳥の卵回収具２を使用する際は、絶縁操作棒８０の先端に鳥の卵回収具２を取付け使用する。使用の際は、必要に応じて絶縁操作棒８０に対する掬い具２１の角度を変えて使用することができる（図８参照）。連結棒３５と連結具５５とは、ボルト６０、ナット６１で連結されるため絶縁操作棒８０に対する掬い具２１の角度の変更は容易である一方、位置変更後は、連結機構４０に菊座部３７、５７が設けられているので堅固に固定される。
【００４８】
図７（Ｂ）、（Ｃ）は、第２実施形態の鳥の卵回収具２の掬い具２１の変形例である。
【００４９】
図７（Ｂ）は、掬い具２１の第１変形例である。図７（Ｂ）に示す掬い具２３は、第２実施形態の鳥の卵回収具２の掬い具２１と同様に、掬い取った卵１００が掬い具２３の中で転がることを防止する転がり防止手段を備える。掬い具２１は、底部中央に凹部２２を有し、これが転がり防止手段及び飛び出し防止手段として機能するが、掬い具２３は、凹部２２に代えて底部に卵１００が載るリング部材２４が設けられ、これが凹部２２と同様の機能を発揮する。リング部材２４の材質は、弾力性のあるゴム等が好ましい。
【００５０】
図７（Ｃ）は、掬い具２１の第２変形例である。図７（Ｃ）に示す掬い具２５は、掬い具２５の内面にクッション材２６が取付けられている。クッション材２６は、スポンジ状の弾力性のある部材であり、卵１００が載るとその重みで凹む。このため掬い具２５内の卵１００は、転がり難くまた外に飛び出し難い。つまりクッション材２６は、転がり防止手段及び飛び出し防止手段として機能する。
【００５１】
以上、第１及び第２実施形態の鳥の卵回収具１、２、さらにはそれらの変形例を用いて説明したように本発明に係る鳥の卵回収具は、お玉杓子状の掬い具を有するので巣１５０の卵１００を壊すことなく確実に掬い取り、回収することができる。また本発明に係る鳥の卵回収具が備える連結具、さらには鳥の卵回収具を取付けて使用する絶縁操作棒は、従来から間接活線工事等で使用されているので使い易い。
【００５２】
また本発明に係る鳥の卵回収具は、連結具に対して掬い具を任意の位置、方向、角度に変更して使用することができるため使い勝手に優れる。さらに本発明に係る鳥の卵回収具は、掬った卵が掬い具の内から外に飛び出すことを防止する飛び出し防止手段を備えるので、掬った卵を安心して移動させることができる。
【００５３】
本発明に係る鳥の卵回収具は、第１及び第２実施形態の鳥の卵回収具１、２、それらの変形例に限定されるものではなく要旨を変形しない範囲で変形して使用することができる。例えば、第１実施形態の鳥の卵回収具１において、第２実施形態の鳥の卵回収具２で使用する連結棒３５及び連結機構４０を使用してもよく、掬い具１１の内面に図７（Ｃ）に示すクッション材２６を設けてもよい。
【００５４】
また第２実施形態の鳥の卵回収具２において、第１実施形態の鳥の卵回収具１で使用する屈曲可能で形状保持可能な特性を有する連結棒３１を使用してもよく、掬い具２１の上部開口部に飛び出し防止板１５を取付けてもよい。また第１実施形態の鳥の卵回収具１の変形例である掬い具１２において、シリコンゴムの板に代えて、シリコンで掬い具１１の内側表面をコーティングしてもよい。なお、本発明の鳥の卵回収具において、連結具に対する掬い具の位置が固定され変更できない構造のものも含まれる。
【００５５】
図面を参照しながら好適な実施形態を説明したが、当業者であれば、本明細書を見て、自明な範囲内で種々の変更及び修正を容易に想定するであろう。従って、そのような変更及び修正は、請求の範囲から定まる発明の範囲内のものと解釈される。
【符号の説明】
【００５６】
１、２  鳥の卵回収具
１１、１２  掬い具
１５  飛び出し防止板
１８  シリコン板
２１、２３、２５  掬い具
２２  凹部
２４  リング部材
２６  クッション材
３１、３２  連結棒
３５  連結棒
４０  連結機構
５１  連結具
５２  ツイストロック機構
５５  連結具
８０  絶縁操作棒
１００  卵
１５０  巣
２００  電柱
【図１】
2020054159.tif 000003
【図２】
2020054159.tif 000004
【図３】
2020054159.tif 000005
【図４】
2020054159.tif 000006
【図５】
2020054159.tif 000007
【図６】
2020054159.tif 000008
【図７】
2020054159.tif 000009
【図８】
2020054159.tif 000010